(57)【要約】      （修正有）【課題】ベルト体の結束長の調整を不要として取り扱いやすく、しかも荷物の結束後に余分となったベルト体の端部を簡易迅速に結束して荷物の運搬等の邪魔にならないようにした荷崩れ防止ベルトの端末ベルト処理具を提案する。【解決手段】荷物を結束するベルト体と、荷物に巻回した該ベルト体の端部を締結するためのバックルとを備えた荷崩れ防止ベルトにおいて、ベルト体がバックルから余分に引き出されている部分の折り畳まれた箇所を束ねる結束具１１をベルト体の先端に着脱可能に取り付けたことを特徴とする。【選択図】図１２
0003200609.tif 000002
【実用新案登録請求の範囲】
【請求項１】
荷物を結束するベルト体と、前記荷物に巻回した該ベルト体の端部を締結するためのバックルとを備えた荷崩れ防止ベルトにおいて、前記ベルト体が前記バックルから余分に引き出されている部分の折り畳まれた箇所を束ねる結束具をベルト体の先端に着脱可能に取り付けたことを特徴とする荷崩れ防止ベルトの端末ベルト処理具。
【請求項２】
前記ベルト体が前記バックルから余分に引き出されている部分の折り畳まれた箇所を束ねる結束具は、一対の帯状の面ファスナのそれぞれ端部を所定の長さを残して貼り合わせ、かつ該貼り合わせ部分に前記ベルト体の挿通部を設けてあることを特徴とする請求項１に記載の荷崩れ防止ベルトの端末ベルト処理具。
【請求項３】
前記ベルト体が前記バックルから余分に引き出されている部分の折り畳まれた箇所を束ねる結束具は、前記ベルト体の挿通部の両側の前記貼り合わせ部分が熱圧着によって張り合わされていることを特徴とする請求項２に記載の荷崩れ防止ベルトの端末ベルト処理具。
【考案の詳細な説明】
【技術分野】
【０００１】
本考案は、パレットなどに積載された荷物が崩れるのを防止するための荷崩れ防止ベルトの端末ベルト処理具に関するものである。
【背景技術】
【０００２】
パレット等に積載された荷物の荷崩れ防止手段として、積載荷物の周囲を一体に結束する荷崩れ防止ベルトが従来より知られており、このベルトの係止構造としては、種々の構造の物が知られているが、特に、ベルト体の一端に係止用リング体を装着し、他端を係止用リング体に挿通して折り返し、折り返しベルト部の対向する面に、面ファスナを設けてなるベルトは、接合面積（面ファスナの係着面積）によって接合強度を容易に設定でき、更に単に接合面を押圧するのみでベルト結束ができるので、その作業性に優れている。
【０００３】
ところで、パレットに積載される荷物が必ずしも一定の大きさとは限らず、荷物サイズが異なる場合があり、また積載時に一隅の荷物が欠ける場合などがあり、ベルトの結束長（結束されるべき積載荷物の周囲長さ）が一定であるとは限らない。従って荷崩れ防止用ベルトは、結束長の変化に対応できる構造を備える必要がある。
【０００４】
前記した面ファスナを採用したベルトにおける対策として、特許文献１（特開２００４−１８９２９２号公報）に、面ファスナの構成を、先端側が短い雌面ファスナ部材を設け、それに続く雄面ファスナ部材を十分に長く設けて、折り返された雌面ファスナ部材面の係着範囲を広くして結束長の変化に対応する構成が示されている。
【０００５】
また特許文献２（特開２００２−３３２０６１号公報）には、係止用リング体を、ベルト体の端部に設ける他、ベルト端より少し離れた位置に第二、第三の係止用リング体を設け、折り返し用のベルト端部を何れかの係止用リング体を選択して折り返して係止することで、結束長の変化に対応する構成が示されている。
同様に特許文献３（実用新案登録第３１７２４１７号公報）には、パレット等に積載された荷物の荷崩れ防止として荷物群を結束するベルトにおいて、その結束長の調整を容易に実施できるベルトが提案されている。
【先行技術文献】
【特許文献】
【０００６】
【特許文献１】特開２００４−１８９２９２号公報
【特許文献２】特開２００２−３３２０６１号公報
【特許文献３】実用新案登録第３１７２４１７号公報
【考案の概要】
【考案が解決しようとする課題】
【０００７】
しかしながら前記いずれの先行技術においても、結束長の調整のために面ファスナ部分を長く形成したり、係止用リング体を多段に設けて結束長を段階的に調整したり、またベルト体の途中部分を蛇行挿着した二列孔状の調整金具体を設けたりする必要があった。
【０００８】
本考案は、前記ベルト体の結束長の調整を不要として取り扱いやすく、しかも荷物の結束後に余分となったベルト体の端部を簡易迅速に結束して荷物の運搬等の邪魔にならないようにした荷崩れ防止ベルトの端末ベルト処理具を提案することを目的とするものである。
【課題を解決するための手段】
【０００９】
すなわち本考案に係る荷崩れ防止ベルトの端末ベルト処理具は、荷物を結束するベルト体と、前記荷物に巻回した該ベルト体の端部を締結するためのバックルとを備えた荷崩れ防止ベルトにおいて、前記ベルト体が前記バックルから余分に引き出されている部分の折り畳まれた箇所を束ねる結束具をベルト体の先端に着脱可能に取り付けたことを特徴とするものである。
【００１０】
本考案に係る荷崩れ防止ベルトの端末ベルト処理具において、前記ベルト体が前記バックルから余分に引き出されている部分の折り畳まれた箇所を束ねる結束具は、一対の帯状の面ファスナのそれぞれ端部を所定の長さを残して貼り合わせ、かつ該貼り合わせ部分に前記ベルト体の挿通部を設けてあることをも特徴とするものである。
【００１１】
本考案に係る荷崩れ防止ベルトの端末ベルト処理具において、前記ベルト体が前記バックルから余分に引き出されている部分の折り畳まれた箇所を束ねる結束具は、前記ベルト体の挿通部の両側の前記貼り合わせ部分が熱圧着によって張り合わされていることをも特徴とするものである。
【考案の効果】
【００１２】
本考案は上記の構成のとおり、ベルトで荷物群を結束する前に、荷物群の大きさ（結束長）に合わせて予めベルト長を調整する必要がなくなった。
そして前記ベルトが前記バックルから余分に引き出されている部分を折り畳んで結束具で結束するだけで良いため、作業を簡便かつ迅速に一人で行うことができるものである。
【図面の簡単な説明】
【００１３】
【図１】本考案の荷崩れ防止ベルトの端末ベルト処理具を構成する結束具の側面図である。
【図２】その平面図である。
【図３】その底面図である。
【図４】その斜視図である。
【図５】反転した状態の斜視図である。
【図６】本考案の荷崩れ防止ベルトの端末ベルト処理具を示すものであり、ベルト体が余分に引き出されている状態の斜視図である。
【図７】余分に引き出されたベルト体を所定の長さで重畳的に折り畳もうとしている状態の概略側面図である。
【図８】その斜視図である。
【図９】余分に引き出されたベルト体を所定の長さで重畳的に折り畳んだ状態の概略側面図である。
【図１０】その斜視図である。
【図１１】前記結束具の他方の面ファスナを、前記ベルト体の折り畳んだ箇所を取り巻くように下向き（矢印方向）に折返そうとしている状態の概略斜視図である。
【図１２】前記結束具のそれぞれの面ファスナで前記ベルト体の折り畳んだ箇所を取り巻いた上、面ファスナどうしを結着して結束した状態の概略斜視図である。
【考案を実施するための形態】
【００１４】
次に本考案の実施形態について図面に基いて詳細に説明する。
本考案の荷崩れ防止ベルトの端末ベルト処理具の１実施例を図１ないし図１２に示す。
図１ないし図５は本考案の荷崩れ防止ベルトの端末ベルト処理具を構成する結束具を示している。すなわち該結束具１１は、一対の帯状の面ファスナ１２，１３のそれぞれ端部を所定の長さを残して貼り合わせたものである。そして該貼り合わせ部分は前記それぞれの端部１２ａ,１３ａをプラスチック製の面ファスナ１２，１３の所定位置において、熱圧着等の手段で結合している。
１４は前記熱圧着等の手段で結合したそれぞれの端部１２ａ,１３ａの間に設けたベルト体の挿通部である。該ベルト体については後述する。
【００１５】
図１ないし図５に示す前記結束具１１は、種々の形式の荷崩れ防止ベルトに組込むことができる。
次に、図６ないし図１２は前記結束具１１を組込んだ荷崩れ防止ベルト２１を示している。
図６ないし図１２において例示した荷崩れ防止ベルト２１は、荷物（図示省略）を結束するベルト体２２と、前記荷物に巻回した該ベルト体２２の端部を締結するためのバックル２３とを備えたものである。該バックル２３としてはラチェットバックルやカムバックル等を使用することができる。
図６ではバックル２３としてラチェットバックルを例示しており、前記ベルト体２２の一端に取り付けた該バックル２３の巻取り軸２３ａに、ベルト体２２の他端を巻き付けた状態を示している。
【００１６】
前記バックル２３から引き出したベルト体２２の先端は、前記結束具１１のベルト体の挿通部１４に簡単に挿通することができ、したがって前記結束具１１はベルト体２２の先端に着脱自在となっている。
【００１７】
図７は、前記ベルト体２２が前記バックル２３から余分に引き出されている部分を示すものであり、該部分を重畳的に折り畳もうとしている状態を示すものである。
図８はその斜視図である。
【００１８】
図９は、前記ベルト体２２の前記バックル２３から余分に引き出されている部分を重畳的に折り畳んだ状態を示すものである。
図１０はその斜視図である。
【００１９】
図１０〜図１２は前記ベルト体２２の前記バックル２３から余分に引き出されている部分を折り畳み、その箇所を前記結束具１１で束ねる過程を示すものである。
すなわち、図１０においては前記結束具１１の一方の面ファスナ１２を前記ベルト体２２の折り畳んだ箇所を取り巻くように下向き（矢印方向）に折返そうとしている。
【００２０】
次いで、図１１においては前記結束具１１の他方の面ファスナ１３を前記ベルト体２２の折り畳んだ箇所を他面から取り巻くように下向き（矢印方向）に折返そうとしている。
図１２はそれぞれの面ファスナ１２，１３で前記ベルト体２２の折り畳んだ箇所を取り巻いた上、面ファスナ１２，１３どうしを結着して結束した状態を示している。
【００２１】
本考案は上記の構成のとおりであり、ベルト体２２で荷物群を結束する前に、荷物群の大きさ（結束長）に合わせて予めベルト長を調整する必要がなくなった。
そして前記ベルト体２２が前記バックル２３から余分に引き出されている部分を折り畳んで結束具１１で結束するだけで良いため、作業を簡便かつ迅速に一人で行うことができるものである。
【産業上の利用可能性】
【００２２】
本考案の荷崩れ防止ベルトの端末ベルト処理具は以上のように構成してあるため、予め荷崩れ防止ベルトの部品として装備することができるだけでなく、既に市販されている荷崩れ防止ベルトにアタッチメントとして取り付けることもできる。
もちろん、荷物の結束に使用する荷崩れ防止ベルトであれば、ラチェットバックルやカムバックルを備えたものだけでなく、その他の種々の荷崩れ防止ベルトに適用することができることはいうまでもない。
【符号の説明】
【００２３】
１１  結束具
１２，１３  面ファスナ
１２ａ,１３ａ  面ファスナの端部
１４  ベルト体の挿通部
２１  荷崩れ防止ベルト
２２  ベルト体
２３  バックル
２３ａ  巻取り軸
【図１】
0003200609.tif 000003
【図２】
0003200609.tif 000004
【図３】
0003200609.tif 000005
【図４】
0003200609.tif 000006
【図５】
0003200609.tif 000007
【図６】
0003200609.tif 000008
【図７】
0003200609.tif 000009
【図８】
0003200609.tif 000010
【図９】
0003200609.tif 000011
【図１０】
0003200609.tif 000012
【図１１】
0003200609.tif 000013
【図１２】
0003200609.tif 000014